(57)【要約】【課題】ヘッドホンステレオ等のポータブル機器に使用されるイヤホンコードにおいて、かばん等へ収納時にコードのもつれを発生しにくくし、かつ扱いの簡単なイヤホンコードを提供することを目的とする。【解決手段】リモコン２に設けられたクリップ６の凹部６ａに左右１対のイヤホン３の根元部３ａをはさみ込んだ状態で固定し、かばん等への収納時にイヤホンがばらばらになることを防止する。これにより、コードがもつれにくくなり、扱い易くなる。また、リモコンは使用時にはかばん等の外に出して使用するため、収納時には少ない手間でリモコンにイヤホンを固定できる。【選択図】図２
2005086417.tif 000002
【特許請求の範囲】
【請求項１】
ポータブル機器に接続し、前記ポータブル機器からのオーディオ信号および前記ポータブル機器へのコントロール信号を伝送するコネクタと、前記オーディオ信号の音量と前記コントロール信号を操作するリモコンと、前記ポータブル機器から出力されるオーディオ信号を音声として再生するイヤホンと、前記コネクタと前記リモコンを接続する第１のコードと、前記リモコンと前記イヤホンを接続する第２のコードと、前記リモコンに前記イヤホンを固定する固定手段を設けたことを特徴とするイヤホンコード。
【請求項２】
イヤホンを固定する固定手段は、リモコンを衣服等に取り付けるためのクリップであることを特徴とする請求項１記載のイヤホンコード。
【請求項３】
イヤホンを固定する固定手段は、イヤホンの棒状に形成された棒状部をリモコンに形成された凹部に嵌合させるものであることを特徴とする請求項１記載のイヤホンコード。
【請求項４】
イヤホンに形成された棒状部またはリモコンに形成された凹部のいずれかが弾性を有することを特徴とする請求項３記載のイヤホンコード。
【請求項５】
第１のコードまたは第２のコードを固定するコード固定手段をさらにリモコンに設けたことを特徴とする請求項１乃至請求項４記載のイヤホンコード。
【請求項６】
コネクタを固定するコネクタ固定手段をさらにリモコンに設けたことを特徴とする請求項１乃至請求項５記載のイヤホンコード。
【請求項７】
第２のコードは途中で分岐して左右１対のイヤホンに接続されたものであることを特徴とする請求項１乃至請求項６記載のイヤホンコード。
【発明の詳細な説明】
【技術分野】
【０００１】
本発明はヘッドホンステレオ等のポータブル機器に付属するイヤホンコードに関するものである。
【背景技術】
【０００２】
近年、ヘッドホンステレオや携帯電話等の小型のポータブル機器の普及により、電車等の移動時に音楽を聴くという場合が増加している。その場合、イヤホンをかばん等から取り出し、耳に取り付けるが、イヤホンを耳から外した後、イヤホンとポータブル機器とを接続するイヤホンコードがもつれやすく、扱いが面倒であった。特に、イヤホンが左右１対となっている場合はイヤホンコードも細く、もつれあったものを直さないとすぐには使用できないという問題があった。
【０００３】
前記課題に対し、イヤホンとポータブル機器本体に互いを合体固定する固定手段を設けるというものがあった（例えば特許文献１参照）。図５に従来の実施例の斜視図を示す。図において、イヤホン２２とポータブル機器本体２１それぞれに互いを合体固定する固定手段２３、２４を設け、かばん等への収納時にはイヤホン２２をポータブル機器本体２１に合体固定し、左右１対のイヤホン２２がばらばらになってコード２５がもつれるということを発生しにくくしている。
【０００４】
その他の従来の技術としては、不使用時にイヤホンコードをポータブル機器本体に巻き取る構成のものがある（例えば特許文献２参照）。
【特許文献１】特開平０４−３１８７９４号公報
【特許文献２】特開昭６０−１７１７９５号公報
【発明の開示】
【発明が解決しようとする課題】
【０００５】
イヤホン２２とポータブル機器本体２１に固定手段２３、２４を設けた従来の構成では収納時にイヤホン２２をポータブル機器本体２１に固定する際、通常はかばん内に収納されているポータブル機器本体２１をかばんから取り出す必要があり、手間を要する。
【０００６】
また、ポータブル機器本体にコードを巻き取る構成のものでは巻き取る操作が必要となり、コードを最後までポータブル機器本体に巻き取るには手間を要する。
【０００７】
さらに、ポータブル機器本体にコードを巻き取る機構とそれを実装するスペースが必要となり、機器の大型化と複雑化さらにはコストアップにつながる。
【０００８】
本発明は上記問題点に鑑み、かばん等への収納時にポータブル機器本体の取り出しやコードの巻取り等の手間を必要とせずにコードをもつれにくくし、使い易く、かつ、低コストで実現できるイヤホンコードを提供することを目的とする。
【課題を解決するための手段】
【０００９】
上記課題を解決するために、本発明のイヤホンコードは、コードの途中に設けられるリモコン部にイヤホンの固定手段を設けたものである。
【００１０】
これにより、かばん等への収納時にコードがもつれにくく、従って再使用時に容易に取り扱えるイヤホンコードを提供できる。
【発明の効果】
【００１１】
本発明のイヤホンコードは、リモコンにイヤホンを固定する固定手段を設けることにより、かばん等に収納時にコードをもつれにくくすることができ、さらに、収納時に少ない手間でイヤホンを固定できるという有利な効果を得ることができる。
【発明を実施するための最良の形態】
【００１２】
本発明の請求項１に記載の発明は、ポータブル機器に付属するイヤホンコードにおいて、ポータブル機器に接続し、ポータブル機器からのオーディオ信号およびコントロール信号を伝送するコネクタと、オーディオ信号の音量とコントロール信号を操作するリモコンと、ポータブル機器から出力されるオーディオ信号を音声として再生するイヤホンと、コネクタとリモコンを接続する第１のコードと、リモコンとイヤホンを接続する第２のコードと、リモコンにイヤホンを固定する固定手段を設けたものであり、かばん等への収納時にコードをもつれにくくするという作用を有する。
【００１３】
請求項２に記載の発明は、イヤホンを固定する固定手段は、リモコンを衣服等に取り付けるためのクリップであることを特徴とするもので、クリップを有する場合、それを兼用することができ、固定手段として新たな部品が不要である。
【００１４】
請求項５に記載の発明は、第１のコードまたは第２のコードを固定するコード固定手段をリモコンに設けたものであり、さらにコードがもつれにくくなるという作用を有する。
【００１５】
請求項６に記載の発明は、コネクタを固定するコネクタ固定手段をリモコンに設けたものであり、イヤホンコードをポータブル機器から取り外してかばん等へ収納するときにコードをもつれにくくするという作用を有する。
【００１６】
以下、本発明の実施の形態について、図１から図４を用いて説明する。
【００１７】
（実施の形態１）
図１および図２は本発明の第１の実施の形態におけるイヤホンコードを示す斜視図である。
【００１８】
図１において、１はポータブル機器本体（図示せず）と接続し、ポータブル機器本体からのオーディオ信号とコントロール信号を伝送するコネクタ、２はオーディオ信号の音量やポータブル機器本体の動作をコントロールするリモコン、３はオーディオ信号を音声として再生する左右１対のイヤホン、４はコネクタ１とリモコン２の間でオーディオ信号とコントロール信号を伝送するコード、５はイヤホン３とリモコン２の間でオーディオ信号を伝送するコードである。リモコン２には外出時にリモコン２を衣服のポケット等に止めるクリップ６が設けられている。クリップ６はリモコン２との間に衣服をはさみ込んで外れないようにバネ（図示せず）により付勢されている。イヤホン３の根元部３ａは棒状になっており、また、クリップ６にはイヤホン３の固定手段として、イヤホン３の根元部３ａの幅に嵌合するほぼ同じ幅の凹部６ａが設けられている。
【００１９】
図２にかばん等に収納するときの状態を示す。クリップ６の凹部６ａにイヤホン３の根元部３ａをはさみ込んだ状態で固定し、収納する。
【００２０】
このようにすることにより、左右１対のイヤホン３がばらばらにならず、コード５がもつれにくくなり、かばんからの取り出し時に扱い易くなる。
【００２１】
また、リモコン２は常にかばん等から外に出して使用するものであるため、収納時にわざわざかばん等から取り出す必要もなく、少ない手間で図２で示した状態にイヤホン３を固定できる。
【００２２】
また、イヤホン３の固定に衣服のポケット等に止めるクリップ６を兼用するため、新たな部品は不要である。
【００２３】
（実施の形態２）
図３および図４は本発明の第２の実施の形態におけるイヤホンコードを示す斜視図である。実施の形態１の図１と同じものは同じ符号を付し説明を省略する。実施の形態１との違いはリモコン１１においてイヤホン３の固定手段としてイヤホン３の根元部３ａと嵌合する凹部１１ａを設け、さらにイヤホン３の根元部３ａをゴム等の弾性体１２で巻いたことである。
【００２４】
図４にかばん等に収納するときの状態を示す。収納時にはイヤホン３の根元部３ａをリモコン１１の凹部１１ａにはめ込み固定する。リモコン１１の凹部１１ａにイヤホン３の根元部３ａをはめ込むと根元部３ａに巻かれた弾性体１２が圧縮され、その反発力で凹部１１ａから簡単には抜けない状態に固定される。
【００２５】
このように、実施の形態１と同様、左右１対のイヤホン３がばらばらにならず、コード５がもつれにくくなり、かばんから取り出す時に扱い易くなる。
【００２６】
また、リモコン１１は常にかばん等から外に出して使用するものであるため、収納時にわざわざかばん等から取り出す必要もなく、少ない手間で図４に示した状態にイヤホン３を固定できる。
【００２７】
なお、イヤホン３の根元部３ａに巻かれた弾性体はリモコン１１の凹部１１ａに設けられていても、同様の効果が得られる。
【００２８】
また、上記これらの実施の形態において、リモコンにはイヤホンのみを固定するようにしたが、イヤホンだけでなくコード４やコード５も固定するようにすることもできる。この場合、コードは束ねた状態で固定するようにすれば、さらにコードがもつれにくくなる。
【００２９】
また、さらに、リモコンにコネクタ１を固定するようにすれば、ポータブル機器本体からイヤホンコードを取り外してかばん等へ収納する際のコードのもつれも少なくすることができる。
【００３０】
また、固定手段は、マジックテープやベルトのようなものを、リモコンに取り付けるようにしたものであってもよい。
【産業上の利用可能性】
【００３１】
本発明にかかるイヤホンコードは、かばん等に収納時にコードをもつれにくくすることができ、さらに、収納時に少ない手間でイヤホンを固定できるという有利な効果を有し、ヘッドホンステレオ等のポータブル機器に付属するイヤホンコードとして有用である。
【図面の簡単な説明】
【００３２】
【図１】本発明の第１の実施の形態におけるイヤホンコードを示す斜視図
【図２】本発明の第１の実施の形態におけるイヤホンコードを示す斜視図
【図３】本発明の第２の実施の形態におけるイヤホンコードを示す斜視図
【図４】本発明の第２の実施の形態におけるイヤホンコードを示す斜視図
【図５】従来の実施例の構成を示す斜視図
【符号の説明】
【００３３】
１  コネクタ
２  リモコン
３  イヤホン
３ａ  根元部
４、５  コード
６  クリップ
６ａ  凹部
１１  リモコン
１１ａ  凹部
１２  弾性体
【図１】
2005086417.tif 000003
【図２】
2005086417.tif 000004
【図３】
2005086417.tif 000005
【図４】
2005086417.tif 000006
【図５】
2005086417.tif 000007